【手続補正書】
【提出日】平成25年4月26日(2013.4.26)
【手続補正１】
【補正対象書類名】特許請求の範囲
【補正対象項目名】全文
【補正方法】変更
【補正の内容】
【特許請求の範囲】
【請求項１】
オンラインコミュニティにおいて他のユーザにアクセス可能であり、かつデータベースに格納されているプロファイルへのユーザによる追加情報の提出を促進するための方法であって、
該方法は、
第１のユーザから、該第１のユーザのプロファイルに含めるための情報を受信することであって、該プロファイルは、該オンラインコミュニティにおいて他のユーザにアクセス可能であり、かつデータベースに格納されている、ことと、
第２のユーザから、該第１のユーザが該第１のユーザのプロファイルに追加情報を提出することの要求を受信することと、
該オンラインコミュニティにおいて他のユーザにアクセス可能であり、かつ該データベースに格納されている該第１のユーザのプロファイルへの該追加情報の提出を要求する個人的メッセージを該第１のユーザに送信することと
を含む、方法。
【請求項２】
前記オンラインコミュニティのユーザの複数のプロファイルを検索することにより、前記第１のユーザによる前記追加情報の提出が前記第２のユーザにより所望されそうなユーザのサブセットを識別することと、
レビューおよび各ユーザのプロファイルへの追加情報の提出の要求の生成のために前記第２のユーザに前記ユーザのサブセットのプロファイルを提示することと
をさらに含む、請求項１に記載の方法。
【請求項３】
前記検索することは、前記第２のユーザのプロファイルに含まれた情報に基づく、請求項２に記載の方法。
【請求項４】
前記ユーザのサブセットは、前記第２のユーザに対する予測を生成するために用いられ得る欠損データであるプロファイルを有する、請求項２に記載の方法。
【請求項５】
前記予測は、医療結果に関する、請求項４に記載の方法。
【請求項６】
前記プロファイルは、医療情報を含む、請求項１に記載の方法。
【請求項７】
前記個人的メッセージは、１つ以上の構造化されたデータ入力フィールドを含む、請求項１に記載の方法。
【請求項８】
前記第１のユーザから前記追加情報を受信することと、
前記追加情報によって、前記オンラインコミュニティにおいて他のユーザにアクセス可能であり、かつ前記データベースに格納されている前記第１のユーザのプロファイルを更新することと
をさらに含む、請求項１に記載の方法。
【請求項９】
前記個人的メッセージは、前記第２のユーザによって生成される構成要素を含む、請求項１に記載の方法。
【請求項１０】
前記追加情報が受信された場合に、前記第２のユーザに通知することをさらに含む、請求項１に記載の方法。
【請求項１１】
前記追加情報は、少なくとも１つの病状測定基準を含む、請求項１に記載の方法。
【請求項１２】
前記追加情報は、介入データを含む、請求項１に記載の方法。
【請求項１３】
コンピュータ可読媒体であって、該コンピュータ可読媒体のコンテンツは、コンピュータに、オンラインコミュニティにおいて他のユーザにアクセス可能であり、かつデータベースに格納されているプロファイルへのユーザによる追加情報の提出を促進するための方法を実行させ、
該方法は、
第１のユーザから、該第１のユーザのプロファイルに含めるための情報を受信することであって、該プロファイルは、該オンラインコミュニティにおいて他のユーザにアクセス可能であり、かつ、データベースに格納されている、ことと、
第２のユーザから、該第１のユーザが該第１のユーザのプロファイルに追加情報を提出することの要求を受信することと、
該オンラインコミュニティにおいて他のユーザにアクセス可能であり、かつ、該データベースに格納されている該第１のユーザのプロファイルへの該追加情報の提出を要求する個人的メッセージを該第１のユーザに送信することと
を含む、コンピュータ可読媒体。
【請求項１４】
オンラインコミュニティにおいて他のユーザにアクセス可能であり、かつデータベースに格納されているプロファイルへのユーザによる追加情報の提出を促進するためのシステムであって、
該システムは、サーバと第１のクライアントとを備え、
該サーバは、
第１のユーザから、該第１のユーザのプロファイルに含めるための情報を受信することであって、該プロファイルは、該オンラインコミュニティにおいて他のユーザにアクセス可能であり、かつ、データベースに格納されている、ことと、
第２のユーザから、該第１のユーザが該第１のユーザのプロファイルに追加情報を提出することの要求を受信することと、
該オンラインコミュニティにおいて他のユーザにアクセス可能であり、かつ、該データベースに格納されている該第１のユーザのプロファイルへの該追加情報の提出を要求する個人的メッセージを該第１のユーザに送信することと
を実行するように構成され、
該第１のクライアントは、
該第１のユーザからの情報を該サーバに送信することと、
該サーバから個人的メッセージを受信することと
を実行するように構成される、システム。
【手続補正２】
【補正対象書類名】明細書
【補正対象項目名】００１９
【補正方法】変更
【補正の内容】
【００１９】
本局面は、種々の実施形態を有することが可能である。システムは、サーバに、追加情報の要求を伝送し、追加情報が、第１のユーザによって提供されたことの通知を受信するように構成される、第２のクライアントを含むことが可能である。
本願明細書は、例えば、以下の項目も提供する。
（項目１）
オンラインコミュニティへの能動的参加を促進するための方法であって、
第１のユーザから、トピックに関する情報を受信することと、
第２のユーザから、該第１のユーザからの所望の追加情報の要求を受信することと、
該第１のユーザに、該追加情報を要求する個人的メッセージを送信することと
を含む、方法。
（項目２）
前記第１のユーザから、前記追加情報を受信することをさらに含む、項目１に記載の方法。
（項目３）
前記追加情報によって、データベースを更新することをさらに含む、項目１に記載の方法。
（項目４）
前記個人的メッセージは、前記第２のユーザによって生成される構成要素を含む、項目１に記載の方法。
（項目５）
前記追加情報が受信された場合に、前記第２のユーザに通知することをさらに含む、項目１に記載の方法。
（項目６）
前記第２のユーザに、前記第１のユーザに謝意を表すように指示することをさらに含む、項目１に記載の方法。
（項目７）
前記オンラインコミュニティは、トピック関連のオンラインコミュニティである、項目１に記載の方法。
（項目８）
前記トピックは、健康に関する、項目７に記載の方法。
（項目９）
前記追加データは、少なくとも１つの病状測定基準を含む、項目１に記載の方法。
（項目１０）
前記病状測定基準は、病状の定量的表現である、項目９に記載の方法。
（項目１１）
前記病状測定基準は、病理の直接測定、ユーザレポートによる機能障害の測定、ユーザレポートによる健康関連の生活の質の結果、およびユーザレポートによる病状の進行度から成る群から選択される１つである、項目９に記載の方法。
（項目１２）
前記病状は、パーキンソン病、ハンチントン舞踏病、およびトゥレット症候群を含む運動障害；背痛を含む疼痛性障害；関節炎、変形性関節炎、関節リウマチ、乾癬性関節炎、ライム病、および痛風を含むリウマチ性疾患；てんかんを含む発作性疾患；筋萎縮性側索硬化症、多発性硬化症、クロイツフェルト・ヤコブ病、およびアルツハイマー病を含む神経変性疾患；ぜんそく、慢性閉塞性肺疾患、および嚢胞性線維症を含む肺疾患；勃起障害および膣痙を含む性的障害；鬱病および不安神経症を含む気分障害；ニコチン中毒およびアルコール依存症を含む中毒；片頭痛；線維筋痛；疲労性疾患；認知症；摂食障害；高コレステロール血症；脂質異常症；高リポタンパク血症；高トリグリセリド血症；血管炎、糖尿病；肥満；胃食道逆流障害；消化不良；貧血；癌；高血圧；腎不全；紅斑性狼瘡；および妊娠から成る群から選択される１つである、項目９に記載の方法。
（項目１３）
前記関連データは、治療介入データを含む、項目１に記載の方法。
（項目１４）
前記治療介入データは、治療介入用量、治療介入頻度、治療介入順守、および知覚される治療介入有効性から成る群から選択される少なくとも１つを含む、項目１３に記載の方法。
（項目１５）
本発明のデータは、薬物の投与、治療薬の投与、栄養剤の投与、ビタミンの投与、運動、物理的療法、マッサージ、ストレッチ、飲食、休息、および睡眠から成る群から選択される、治療介入に関するデータである、項目１３に記載の方法。
（項目１６）
前記方法は、コンピュータ実装方法である、項目１に記載の方法。
（項目１７）
前記第１のユーザに、前記追加データへのインターフェースを提供することをさらに含む、項目１に記載の方法。
（項目１８）
前記追加データを既存データレポートとともに表示することをさらに含む、項目１７に記載の方法。
（項目１９）
前記個人的メッセージの主題に関する追加情報へのハイパーリンクを、前記個人的メッセージとともに表示することをさらに含む、項目１に記載の方法。
（項目２０）
前記第１のユーザは、事前に識別される、項目１に記載の方法。
（項目２１）
前記第２のユーザは、事前に識別される、項目１に記載の方法。
（項目２２）
前記関連データは、１つ以上の有害事象を含む、項目１に記載の方法。
（項目２３）
前記有害事象は、副作用、入院、および支払金額から成る群から選択される１つ以上を含む、項目１に記載の方法。
（項目２４）
前記関連データは、実験室データ、一般定性的データ、および診断試験データから成る群から選択される１つ以上を含む、項目１に記載の方法。
（項目２５）
前記方法は、コンピュータ実装方法である、項目１に記載の方法。
（項目２６）
コンピュータ可読媒体であって、該コンピュータ可読媒体のコンテンツは、コンピュータに、オンラインコミュニティへの能動的参加を促進する方法を実施させ、
該方法は、
第１のユーザから、トピックに関する情報を受信することと、
該第１のユーザからの所望の追加情報を識別することと、
該第１のユーザに、該追加情報を要求する個人的メッセージを送信することと
を含む、コンピュータ可読媒体。
（項目２７）
前記コンピュータ可読媒体は、非一時的かつ有形である、項目２６に記載のコンピュータ可読媒体。
（項目２８）
オンラインコミュニティへの能動的参加を促進するためのシステムであって、
第１のユーザから、トピックに関する情報を受信することと、
該第１のユーザからの所望の追加情報を識別することと、
該第１のユーザに、該追加情報を要求する個人的メッセージを送信することと
を行うように構成されたサーバと、
該第１のユーザから、該サーバに情報を伝送することと、
該サーバから、個人的メッセージを受信することと
を行うように構成された第１のクライアントと
を備えている、システム。
（項目２９）
前記サーバに、前記追加情報の要求を伝送することと、
該追加情報が、前記第１のユーザによって提供されたことの通知を受信することと
を行うように構成された第２のクライアントをさらに備えている、項目２８に記載のシステム。